(57)【特許請求の範囲】
【請求項１】
シャッター装置における開閉体の左右両端縁を支持し、該開閉体の昇降移動を案内する断面略コ字状に形成されたガイド溝を有し、上端がシャターケースの内部に位置するガイドレールの構造であって、
前記ガイド溝を構成するレール部上端の開閉体の呑み込み口となる漏斗状に拡径形成された少なくとも一方の側壁を切欠し、開閉体の端縁がガイド溝内に対して進入及び退出する該ガイド溝の長手方向上端部の前記呑み込み口に脱出口を形成させ、脱出口より開閉体の端縁を出入自在とさせ、脱出口には、脱出口を閉塞し、ガイド溝の側壁となる案内壁を脱着自在に具備したことを特徴とする開閉体のガイドレール構造。
【請求項２】
前記案内壁は、ガイドレール本体に対し、蝶番にて揺動自在に連結されていることを特徴とする請求項１記載の開閉体のガイドレール構造。
【請求項３】
前記案内壁は、ガイドレール本体に対し、上下方向にスライド移動自在に設けられていることを特徴とする請求項１記載の開閉体のガイドレール構造。
【請求項４】
前記脱出口の縦方向の長さは、脱出口の下端縁からシャッターケース底面の間隔が前記開閉体としてのシャッターカーテンの最下端を構成する幅木の縦幅の長さよりやや長くなるように設定されていることを特徴とする請求項１乃至３のいずれか１項に記載の開閉体のガイドレール構造。
【発明の詳細な説明】
【０００１】
【発明の属する技術分野】
本発明は、シャッター装置におけるシャッターカーテンなどの開閉体の端縁を支持し、この開閉体の移動を案内する開閉体のガイドレール構造に関するものである。
【０００２】
【従来の技術】
住宅などの建物の窓などの開口部に配設される窓シャッターは、建物躯体枠に予め配設されるサッシ枠の周囲にシャッター枠を固定して配設されるようになっている。
【０００３】
そして、この建物に配設された窓シャッターは、定期的な点検が行われたり、故障時には修理が行われるが、その際、シャッター枠の左右縦枠のガイドレールからシャッターカーテンを抜き出して行うようになっている。
【０００４】
従来、この点検や修理などのシャッターカーテンの抜き出し作業は、シャッターカーテンを全て上昇させた巻き取った状態とし、このシャッターカーテンの左右端縁を支持し昇降を案内する左右のガイドレールを躯体枠から取り外すことで行っていた。
【０００５】
そのため、ガイドレールを容易に取り外せるように、このガイドレールをレール部分と躯体枠に固定される枠部分とで別体構成とさせ、建物躯体枠に枠部分を固定し、この枠部分に対して、脱着自在にガイドレールを設けていた。
【０００６】
【発明が解決しようとする課題】
しかしながら、上述した従来の窓シャッターのガイドレールの構造では、ガイドレールは上下方向に長尺な形状であることから、取り扱いが容易でなく、取り外した後に、変形させてしまうおそれがあるとともに、長尺なことから建物躯体側に固定させるために多数のネジなどの固定部材が用いられ、このガイドレールを取り外し及び取り付け作業が非常に煩雑であるという欠点がある。
【０００７】
また、建物躯体枠側に固定される枠部分とレール部分とを別体構成とし、互いに脱着自在な構造としなければならないことから、見栄えが悪くなるという欠点を有している。
【０００８】
そこで本発明は、上記問題点を解消するために、簡素な構造とするとともに、シャッターカーテンの保守，点検時の作業を容易に行うことの可能な開閉体のガイドレール構造を提供することを目的としている。
【０００９】
【課題を解決するための手段】
次に、上記の課題を解決するための手段を、実施の形態に対応する図面を参照して説明する。
この発明のシャッター装置における開閉体のガイドレール構造１は、開閉体４の左右両端縁４ａを支持し、該開閉体４の昇降移動を案内する断面略コ字状に形成されたガイド溝１５を有し、上端がシャターケース６の内部に位置するガイドレールの構造であって、
前記ガイド溝１５を構成するレール部１１上端の開閉体４の呑み込み口となる漏斗状に拡径形成された少なくとも一方の側壁１２を切欠し、開閉体４の端縁がガイド溝１５内に対して進入及び退出する該ガイド溝の長手方向上端部の前記呑み込み口に脱出口１６を形成させ、脱出口１６より開閉体４の端縁を出入自在とさせ、脱出口１６には、脱出口１６を閉塞し、ガイド溝１５の側壁となる案内壁２４を脱着自在に具備したことを特徴としている。
【００１０】
なお、上記案内壁２４は、ガイドレール本体７に対し、蝶番３０にて揺動自在に連結させることができる。また、上記案内壁２４は、ガイドレール本体７に対し、上下方向にスライド移動自在に設けることができる。さらに、上記脱出口１６の縦方向の長さは、脱出口１６の下端縁１６ａからシャッターケース底面６ａの間隔Ｌが上記開閉体としてのシャッターカーテン４の最下端を構成する幅木５の縦幅の長さよりやや長くなるように設定されていることが便利である。
【００１１】
以上の構成により、ガイド溝１５の一部に形成された脱出口１６より開閉体４を出入りさせ、この開閉体４、すなわちシャッターカーテンの保守，点検及び修理を行う。
なお、この脱出口１６には、この脱出口１６を閉塞する案内壁２４が脱着自在に設けられていることから、開閉体４の動作時に、この脱出口１６から開閉体４が抜け出てしまうことはない。
【００１２】
【発明の実施の形態】
図１は本発明により開閉体のガイドレールの構造を具備したシャッター装置の概略斜視図、図２は本発明による開閉体のガイドレール構造の実施の形態を示す分解斜視図である。
【００１３】
この発明の開閉体のガイドレール構造１は、窓などの建物開口部２の躯体枠に予め配設されるサッシ枠（図示せず）の周囲に固定される窓シャッター装置３の枠体構造の左右に位置する一対に構成されるもので、この窓シャッター装置３の開閉体としてのシャッターカーテン４の左右両端縁４ａを支持し、このシャッターカーテン４の昇降を案内するようになっている（図１参照）。
【００１４】
この開閉体のガイドレール構造１は、ガイドレール本体７と、案内壁２４とで構成されている。
まず、ガイドレール本体７は、左右で対称形状となる一対で構成され、図２に示すように、それぞれ枠部８とレール部１１とで構成されている。
【００１５】
枠部８は、基板９と延出板１０とが直角に接合し、略Ｌ字状の断面が連続した長尺部材である。
【００１６】
基板９は、建物開口部２を構成する躯体枠の左右縦枠の前面に沿って固定される。
また、延出板１０は、この基板９に対してフランジ状に屋外方向となる垂直方向に延出するようになっている。
なお、この延出板１０の基板９に対する延出長さは、予め配設されるサッシ枠の躯体枠に対する屋外方向の突出長さよりやや長く設定され形成される。
【００１７】
次に、レール部１１は、枠部８の延出板１０の先端縁に、この延出板１０に対する基板９の延出方向と反対の方向に突出するように形成されており、対向する一対の側壁１２，１３と、溝底となる底壁１４とで断面略コ字状となるガイド溝１５が上下方向に連続して形成され、対となる他のガイドレール本体７のガイド溝１５と互いに対向するようになっている。
【００１８】
また、このレール部１１は、長手方向の上端が、図２に示すように、ガイド溝１５を構成する一対の側壁の一方の側壁１２が、所定長さ切欠形成され、ガイド溝１５の開口部分と連続して開放形成された脱出口１６とされている。
【００１９】
一対の側壁の他方の側壁１３と、溝底となる底壁１４との各上端は、それぞれ上端近傍にて折曲形成されて漏斗状に拡径形成され、このガイド溝１５に支持されるシャッターカーテン４を上方よりガイド溝１５内に導く傾斜案内面１７，１８とされている。
【００２０】
また、脱出口１６の下縁となる端縁も各壁１３，１４と同様に折曲形成されて傾斜案内面１９が形成されている。
【００２１】
なお、対向する各側壁１２，１３の開口側内面には、このガイド溝１５に案内されるシャッターカーテン４との摩擦を減少させるモヘアなどの当接部材（図示せず）が連続して設けられる溝２０が形成さている。
【００２２】
また、このガイドレール本体７の上端側の枠部延出板１０のレール部１１よりには、上下一対の取付孔２１，２２がそれぞれ穿設されている。
【００２３】
そして、このガイドレール本体７は、上端が窓シャッター装置３を構成するシャッターケース６内に位置するようになっており、前記シャッターカーテン４の呑み込み口２３となっている。
【００２４】
なお、一方の側壁１２の切欠長さである脱出口１６の縦方向の長さは、図３に示すように、このガイドレール本体７の上端がシャッターケース６内に位置した取付状態において、この脱出口１６の下端縁１６ａからシャッターケース底面６ａの間隔Ｌが、シャッターカーテン４の最下端を構成する幅木５の縦幅の長さよりやや長くなるように設定されている。
【００２５】
次に案内壁２４は、固定板部２５と壁部２９とで構成されている。
固定板部２５は、図２に示すように、垂直な平板状に形成されるとともに、板面の上縁に近接した略中央に係合凸部２６が突設され、またこの板面の下縁に近接した略中央に小径な貫通孔２７が穿設されている。
【００２６】
また、この固定板部２５の上縁には、前記係合凸部２６の突設する方向と反対の方向に水平に延出するリブ板２８が形成されている。
【００２７】
次に、壁部２９は、図２に示すように、固定板部２５に対して直角となって、前記リブ板２８とは反対の方向に延出するように設けられ、前述したガイドレール本体７の側壁１２，１３と略同等の幅長に形成されている。
【００２８】
この壁部２９は、上部２９ａ及び下部２９ｃが垂直とされるとともに、これらを連続させる上下方向中途部には、ガイドレール本体７の一方の側壁１２に形成されている傾斜案内面１９に対応する傾斜部２９ｂが形成されている。
【００２９】
そして、この案内壁２４は、固定板部２５の係合凸部２６をガイドレール本体７の枠部延出板１０の上部取付孔２１に嵌合させるとともに、固定板部２５の貫通孔２７と延出板１０の下部取付孔２２を合致させ、ネジなどの固定部材にて互いに固定し、このガイドレール本体７のレール部１１の溝底（１４）の外側に固定板部２５を沿うように取り付けることで、このガイドレール本体７の脱出口１６を底壁１４にて閉塞するようになる。
取り付けられ固定された状態では、案内壁２４の傾斜部２９ｂがガイドレール本体７の一方の側壁１２の傾斜案内面１９に沿い、この案内壁２４の壁部２９がガイド溝１５の一方の側壁１２を形成する。
【００３０】
従ってこのように構成された開閉体のガイドレール構造１では、ガイドレール本体７のガイド溝１５を構成する側壁の一方の側壁１２に脱出口１６を設けたので、この脱出口１６から開閉体であるシャッターカーテン４を抜き出すことが可能となり、これにより、シャッター装置３の保守，点検並びに修理を行うことが可能となる。
【００３１】
すなわち、従来のようにシャッターカーテン４の端縁４ａを支持するガイドレールを全て取り外すことなく、この脱出口１６よりシャッターカーテン４が抜き出すことが可能となるので、前述した保守や点検，修理などの作業が行いやすくなり、作業性の向上を図ることが可能となる。
【００３２】
また、ガイドレール全体を建物躯体枠から取り外す必要がなくなったことから、従来のような躯体枠に固定される枠部分とシャッターカーテンを支持し案内するレール部分とを別体とし、脱着自在な構成とさせなくてもよいこととなるので、ガイドレール自体に、建物躯体へ固定するための枠部を一体に構成させることが可能となり、簡素で見栄えのよいガイドレールを得ることが可能となる。
【００３３】
さらに、ガイドレール本体７のガイド溝１５に形成された脱出口１６に、この脱出口１６を閉塞する案内壁２４を脱着自在に設けたので、上述した保守，点検，修理時にのみこの案内壁２４を取り外し、各種作業を行えばよく、通常の使用状態では脱出口１６がこの案内壁２４で覆われているので、ガイド溝１５に案内されるシャッターカーテン４はその案内方向を逸脱することなく昇降が可能となり、かつ、脱出口１６が覆われていることから見栄えを損ねることがない。
【００３４】
また、この脱出口１６を、案内壁２４のみにて覆う構成であり、この案内壁２４をガイドレール本体７に固定させる固定部材が、上記本実施の形態では左右各一本ずつのネジにて構成されることから、従来のようにガイドレールの上下長手方向に多数必要であったネジなどの固定部材による煩雑な取り外し及び取り付け作業が、簡素で容易な作業となる。
【００３５】
なお、上述した実施の形態では、ガイドレール本体７に形成した脱出口１６を一体な板状の案内壁２４のみで閉塞する構成とした例について述べたが、この脱出口１６を閉塞する案内壁として上部案内壁２４Ａと下部案内壁２４Ｂとで構成される別体構成の案内壁で構成させてもよい。
この場合の、案内壁は、図４に示すように、上部案内壁２４Ａはブロック状に形成し、シャッターケース６の底面６ａに位置して設け、下部案内壁２４Ｂは上述した実施の形態と同様の板形状としてガイドレール本体７に設けて、それぞれ脱着自在の構成とする。
そして、各案内壁２４Ａ，２４Ｂを取り外すことで脱出口１６を開放し、この脱出口１６からシャッターカーテン４を抜き出すこととする。
【００３６】
また、上述した実施の形態では、脱出口１６をガイド溝１５の上端の位置とした例について述べたが、これに限ることはなく、また、ガイド溝１５の一方の側壁１２のみに脱出口１６を形成し、この脱出口１６にのみ対応する案内壁２４を具備した構成としたが、両側壁１２，１３に脱出口１６を設け、それぞれを閉塞し覆う案内壁２４を具備する構成としてもよい。
【００３８】
また、上述した実施の形態では、脱出口１６を閉塞する案内壁２４を、ガイドレール本体７から取り外してしまう例について述べたが、図５に示すように、案内壁２４の固定板部２５の垂直な端縁と、ガイドレール本体７の延出板１０とを蝶番３０にて揺動自在に連結し、案内壁２４の壁部２９を、この蝶番３０を中心に脱出口１６に対して離脱できるように構成してもよい。
【００３９】
さらに、図６に示すように、案内壁２４をガイドレール本体７に対して、その長手方向である上下方向にスライド移動自在となるように、ガイドピン３１とスリット状の長孔３２との組み合わせをそれぞれに設けて構成してもよい。なお、この場合、案内壁２４の壁部２９が、脱出口１６を閉塞した状態を保持するためのネジなどの固定手段３３を設ける。
【００４０】
【発明の効果】
以上説明したように本発明による開閉体のガイドレール構造では、ガイド溝を構成する側壁の一方の側壁に脱出口を設けたので、この脱出口から開閉体を抜き出すことが可能となり、これにより、装置の保守，点検並びに修理を行うことが可能となるという効果がある。
【００４１】
すなわち、従来のようにシャッターカーテンなどの開閉体の端縁を支持するガイドレールを全て取り外すことなく、この脱出口より開閉体を抜き出すことが可能となるので、前述した保守や点検，修理などの作業が行いやすくなり、作業性が向上するという効果を得ることが可能となる。
【００４２】
また、ガイドレール全体を建物躯体枠から取り外す必要がなくなったことから、従来のような躯体枠に固定される枠部分と開閉体（シャッターカーテン）を支持し案内するレール部分とを別体とし、互いに脱着自在な構成とさせなくてもよいこととなるので、ガイドレール自体に、建物躯体へ固定するための枠部を一体に構成させることが可能となり、簡素で見栄えのよいガイドレールを得られるという効果がある。
【００４３】
さらに、このガイド溝に形成された脱出口に、この脱出口を閉塞する案内壁を脱着自在に設けたので、上述した保守，点検，修理時にのみこの案内壁を取り外すことで作業を行うことができ、通常の開閉体の開閉動状態では脱出口がこの案内壁で覆われているので、ガイド溝に案内される開閉体はその案内方向を逸脱することなく移動が可能となり、かつ、脱出口が覆われていることから見栄えを損ねることがないという効果がある。
【００４４】
また、この脱出口を閉塞する案内壁が、この脱出口のみを覆う構成であることから、この脱出口に対する案内壁の取付固定手段が少数ですみ、これにより開閉体を抜き出すための脱出口を現す作業である案内壁の取り外し及び取り付け作業が容易に行うことが可能となるという効果がある。
【図面の簡単な説明】
【図１】本発明による開閉体のガイドレールの構造を備えたシャッター装置の概略図
【図２】同ガイドレール構造の実施の形態を示す分解斜視図
【図３】同側断面図
【図４】他の実施の形態の側断面図
【図５】他の実施の形態の概略斜視図
【図６】他の実施の形態の概略斜視図
【符号の説明】
１…ガイドレール構造
４…開閉体（シャッターカーテン）
４ａ…端縁
１２…側壁（一方の側壁）
１５…ガイド溝
１６…脱出口
２４…案内壁
【図１】
0003612810.tif 000002
【図２】
0003612810.tif 000003
【図３】
0003612810.tif 000004
【図４】
0003612810.tif 000005
【図５】
0003612810.tif 000006
【図６】
0003612810.tif 000007